(57)【特許請求の範囲】
【請求項１】
通信端末に対して案内情報を提供する案内情報提供装置であって、
音声ファイル又は動画ファイルによって構成される案内情報構成要素と、位置情報と、前記案内情報構成要素の内容に関連する関連情報とを関連付けて記憶するように構成されている格納部と、
前記通信端末から送信された前記通信端末の位置情報を受信する毎に、前記格納部に記憶されている案内情報構成要素の中から、前記通信端末から送信された前記通信端末の位置情報と、前記通信端末から送信された関連情報とに関連付けられている案内情報構成要素を、前記案内情報に含める対象である対象案内情報構成要素として決定するように構成されている決定部と、
前記決定部により決定された前記案内情報構成要素を含んだ前記案内情報を前記通信端末に対して提供するように構成されている提供部と、
前記通信端末から送信された前記通信端末の位置情報に基づいて、前記移動端末の特定場所における滞留時間を計測する計測部と
を具備し、
前記提供部は、前記滞留時間が前記特定場所に対応する第１の案内情報構成要素の再生時間を超えた場合、前記特定場所に対応し、前記第１の案内情報構成要素より再生時間が長い第２の案内情報構成要素の、前記第１の案内情報構成要素の再生時間を超えた部分だけを前記通信端末に提供することを特徴とする案内情報提供装置。
【請求項２】
前記決定部により決定された前記対象案内情報構成要素の各々に関連付けられている位置情報に基づいて、前記対象案内情報構成要素同士を繋ぐ案内ルートを生成するように構成されている案内ルート生成部と、
前記対象案内情報構成要素を、前記案内ルートにおける通過順に対応する時系列上に並べて案内情報を生成するように構成されている合成部とを具備することを特徴とする請求項１に記載の案内情報提供装置。
【請求項３】
前記合成部は、前記案内ルート上における前記対象案内情報構成要素間の距離を考慮して、該対象案内情報構成要素間に移動時間用案内情報構成要素を挿入するように構成されていることを特徴とする請求項２に記載の案内情報提供装置。
【請求項４】
前記合成部は、前記案内ルート上における前記対象案内情報構成要素間の距離を考慮して、前記対象案内情報構成要素或いは前記移動時間用案内情報構成要素の長さを変更するように構成されていることを特徴とする請求項３に記載の案内情報提供装置。
【請求項５】
案内情報提供装置が通信端末に対して案内情報を提供する案内情報提供方法であって、
前記案内情報提供装置が、格納部に、音声ファイル又は動画ファイルによって構成される案内情報構成要素と、位置情報と、前記案内情報構成要素の内容に関連する関連情報とを関連付けて記憶しており、
前記通信端末が、前記案内情報提供装置に対して、前記通信端末の位置情報と、前記関連情報とを送信する工程と、
前記案内情報提供装置が、前記通信端末から送信された前記通信端末の位置情報を受信する毎に、前記格納部に記憶されている案内情報構成要素の中から、前記通信端末から送信された前記通信端末の位置情報と、前記通信端末から送信された関連情報とに関連付けられている案内情報構成要素を、前記案内情報に含める対象である対象案内情報構成要素として決定する工程と、
前記案内情報提供装置が、決定された前記案内情報構成要素を含んだ前記案内情報を前記通信端末に対して提供する工程と、
前記通信端末が、提供された前記案内情報を再生する工程と、
前記通信端末から送信された前記通信端末の位置情報に基づいて、前記移動端末の特定場所における滞留時間を計測する工程と
を有し、
前記提供する工程では、前記滞留時間が前記特定場所に対応する第１の案内情報構成要素の再生時間を超えた場合、前記特定場所に対応し、前記第１の案内情報構成要素より再生時間が長い第２の案内情報構成要素の、前記第１の案内情報構成要素の再生時間を超えた部分だけを前記通信端末に提供することを特徴とする案内情報提供方法。
【発明の詳細な説明】
【技術分野】
【０００１】
本発明は、通信端末に対して案内情報を提供する案内情報提供装置及び案内情報提供方法に関する。
【背景技術】
【０００２】
従来、音声案内システムとして、通信端末が、音声案内情報の配信エリアに移動した場合に、音声案内情報提供装置から送信される電波を掴むことで、音声案内情報を受信するという処理が行われるシステムが知られている。
【０００３】
また、ユーザ状況やユーザ属性に応じて、音声案内情報の内容を構成するために、通信端末から送信される位置情報等のユーザ状況の変化を契機に、音声案内情報（音声ガイド）を配信するというシステムも知られている。
【０００４】
かかる音声案内システムでは、音声案内情報提供装置が、通信端末から送信される位置情報を定期的に観測し、特定のエリアに移動した際に、音声案内情報を配信するという処理が行われる。
【０００５】
また、ユーザの明示的な操作（例えば、音声入力操作等）により、配信する音声案内情報の切り替えを行う音声案内システムが知られている（特許文献１参照）。
【特許文献１】特開２００４-２１５０３６号公報
【発明の開示】
【発明が解決しようとする課題】
【０００６】
しかしながら、上述のような従来の音声案内システムには、以下に示すような問題点があった。
【０００７】
すなわち、従来の音声案内システムにおいては、通信端末が、音声案内情報の配信エリアに入って初めて、音声案内情報の再生を行うことが可能となる。そのため、通信端末が、かかる配信エリアに移動しない限りは、該当する音声案内情報を得ることができないという問題点があった。
【０００８】
また、通信端末が、かかる配信エリアに移動したとしても、電波状況等により、必ずしも音声案内情報を得られないこともあるという問題点もあった。
【０００９】
かかる音声案内情報は、特定スポット（店舗等）に限定した情報であることが多く、通信端末が当該特定スポットに移動するまでのプロセスに関わらず、前記音声案内情報は、画一的な情報を用いて構成されてしまうという問題点もあった。
【００１０】
そこで、本発明は、上述の課題に鑑みてなされたものであり、音声案内情報の配信エリアに移動することなく、現在地において、ユーザからの要求に応じて、自動的に音声案内情報を合成することを可能とする案内情報提供装置及び案内情報提供方法を提供することを目的とする。
【課題を解決するための手段】
【００１１】
本発明の第１の特徴は、通信端末に対して案内情報を提供する案内情報提供装置であって、案内情報構成要素と位置情報とを関連付けて記憶するように構成されている格納部と、前記通信端末から送信された情報に応じて、前記格納部に記憶されている案内情報構成要素の中から、前記案内情報に含める対象である対象案内情報構成要素を決定するように構成されている決定部と、前記決定部により決定された前記対象案内情報構成要素を、各対象案内情報構成要素に関連付けられている位置情報に基づいて合成することによって前記案内情報を生成するように構成されている合成部と、前記合成部により生成された前記案内情報を前記通信端末に対して提供するように構成されている提供部とを具備することを要旨とする。
【００１２】
本発明の第１の特徴において、前記決定部により決定された前記対象案内情報構成要素の各々に関連付けられている位置情報に基づいて、前記対象案内情報構成要素同士を繋ぐ案内ルートを生成するように構成されている案内ルート生成部を具備し、前記合成部は、前記案内ルートに従って前記対象案内情報構成要素を配置して合成することによって前記案内情報を生成するように構成されていてもよい。
【００１３】
本発明の第１の特徴において、前記合成部は、前記案内ルート上における前記対象案内情報構成要素間の距離を考慮して、該対象案内情報構成要素間に移動時間用案内情報構成要素を挿入するように構成されていてもよい。
【００１４】
本発明の第１の特徴において、前記合成部は、前記案内ルート上における前記対象案内情報構成要素間の距離を考慮して、前記対象案内情報構成要素或いは前記移動時間用案内情報構成要素の長さを変更するように構成されていてもよい。
【００１５】
本発明の第１の特徴において、前記案内情報構成要素は、音声ファイルによって構成されていてもよい。
【００１６】
本発明の第２の特徴は、案内情報提供装置が通信端末に対して案内情報を提供する案内情報提供方法であって、前記案内情報提供装置が、格納部に、案内情報構成要素と位置情報とを関連付けて記憶しており、前記通信端末が、前記案内情報提供装置に対して、案内利用要求を送信する工程と、前記案内情報提供装置が、前記通信端末から送信された情報に応じて、前記格納部に記憶されている案内情報構成要素の中から、前記案内情報に含める対象である対象案内情報構成要素を決定する工程と、前記案内情報提供装置が、前記対象案内情報構成要素を、各対象案内情報構成要素に関連付けられている位置情報に基づいて合成することによって前記案内情報を生成する工程と、前記案内情報提供装置が、生成した前記案内情報を前記通信端末に対して提供する工程と、前記通信端末が、提供された前記案内情報を再生する工程とを有することを要旨とする。
【発明の効果】
【００１７】
以上説明したように、本発明によれば、音声案内情報の配信エリアに移動することなく、現在地において、ユーザからの要求に応じて、自動的に音声案内情報を合成することを可能とする案内情報提供装置及び案内情報提供方法を提供することができる。
【発明を実施するための最良の形態】
【００１８】
（本発明の第１の実施形態に係る音声案内システムの構成）
図１乃至図４を参照して、本発明の第１の実施形態に係る音声案内システムの構成について説明する。
【００１９】
図１に示すように、本実施形態に係る音声案内システム１０は、通信端末２０と、通信端末２０から送信されるユーザの状況や要求に基づき音声案内情報を提供する音声案内情報提供装置３０とを備えて構成される。
【００２０】
本実施形態に係る通信端末２０は、ユーザ属性送信部２１と、受信部２２と、再生部２３とを備えて構成される。なお、本実施形態において、通信端末２０は、携帯電話等の移動通信端末であってもよいし、ＰＣ（Ｐｅｒｓｏｎａｌ  Ｃｏｍｐｕｔｅｒ）等の固定通信端末であってもよい。以下、各構成要素について詳細に説明する。
【００２１】
ユーザ属性送信部２１は、音声案内情報提供装置３０に対して、通信端末２０の属性（ユーザ属性）を送信するように構成されている。
【００２２】
ここで、通信端末２０の属性は、当該通信端末２０の位置情報や、当該通信端末２０のユーザの性別や年齢等の個人情報等である。
【００２３】
なお、ユーザ属性送信部２１は、定期的に、通信端末２０の属性を送信するように構成されていてもよいし、音声案内情報提供装置３０からの要求に基づいて、通信端末２０の属性を送信するように構成されていてもよい。
【００２４】
受信部２２は、音声案内情報提供装置３０の提供部３６から提供された音声案内情報（音声ガイド）を受信するように構成されている。
【００２５】
また、再生部２３は、受信部２２において受信された音声案内情報（音声ガイド）を再生するように構成されている。
【００２６】
また、本実施形態に係る音声案内情報提供装置３０は、通信端末１０に対して音声案内情報（案内情報）を提供する案内情報提供装置である。
【００２７】
具体的には、音声案内情報提供装置３０は、音声案内対象決定部３１と、検索部３２と、格納部３３と、案内ルート生成部３４と、合成部３５と、提供部３６とを備えて構成される。以下、各構成要素について詳細に説明する。
【００２８】
音声案内対象決定部３１は、通信端末２０から送信された情報（例えば、通信端末２０の属性）に応じて、格納部３３に記憶されている案内情報構成要素の中から、通信端末２０に提供すべき案内情報に含める対象である「対象案内情報構成要素」を決定するように構成されている。
【００２９】
すなわち、音声案内対象決定部３１は、ユーザの操作やユーザからの要求（音声案内利用要求）に基づいて、かかる対象案内情報構成要素を決定するように構成されている。
【００３０】
ここで、ユーザからの要求（音声案内利用要求）には、名産店巡りや観光スポット巡り等のような目的に応じた関連テーマが示されており、かかる関連テーマは、格納部３３に格納されている音声案内情報構成要素管理テーブル３３ａにおける「関連テーマ」に対応する。
【００３１】
また、音声案内対象決定部３１は、明示的なユーザからの要求がない場合においても、通信端末２０の属性（例えば、通信端末２０の位置情報等のユーザの状況）を利用して、かかる関連テーマを決定することもできる。
【００３２】
そして、音声案内対象決定部３１は、格納部３３に格納されている音声案内情報構成要素管理テーブル３３ａにおいて、決定された当該関連テーマに対応する音声案内情報構成要素を、対象案内情報構成要素として決定するように構成されている。
【００３３】
ここで、音声案内情報構成要素は、例えば、音声案内の対象となる特定の店舗や風景や名所や観光地等を説明する音声ファイル（音声案内メッセージ）によって構成されている。
【００３４】
音声案内対象決定部３１は、ユーザからの要求によって指定された関連テーマや、通信端末２０の位置情報や、通信端末２０のユーザの性別や年齢等の個人情報に基づく絞込み処理を行うことによって、音声案内情報に含める対象（候補）である対象案内情報構成要素を決定する。
【００３５】
検索部３２は、格納部３３に格納されている音声案内情報構成要素管理テーブル３３ａから、音声案内対象決定部３１によって決定された対象音声案内情報構成要素を検索して抽出するように構成されている。
【００３６】
より詳細には、検索部３２は、格納部３３に格納されている音声案内情報構成要素管理テーブル３３ａにおける「関連テーマ」が、ユーザからの要求によって指定されている関連テーマに一致する音声案内情報構成要素を選択して抽出するように構成されている。
【００３７】
格納部３３は、音声案内情報構成要素と位置情報とを関連付けて記憶するように構成されている。具体的には、格納部３３は、音声案内情報構成要素管理テーブル３３ａを格納するように構成されている。図２に、かかる音声案内情報構成要素管理テーブル３３ａの一例を示す。
【００３８】
図２に示すように、音声案内情報構成要素管理テーブル３３ａは、「音声案内情報構成要素」と「要素識別子」と「関連テーマ」と「案内時間」と「位置情報」とを関連付ける１つ又は複数のレコードによって構成されている。
【００３９】
「音声案内情報構成要素」は、音声案内情報を形成する音声ファイルである。
【００４０】
「要素識別子」は、当該音声案内情報構成要素の内容を示すものであり、例えば、要素識別子として、店舗や風景や名所等が想定される。
【００４１】
「関連テーマ」は、当該音声案内情報構成要素に関連するテーマを示す情報であり、例えば、名産店巡りや観光スポット巡り等のような目的に応じたテーマを示す情報である。
【００４２】
「案内時間」は、当該音声案内情報構成要素を再生するのに要する時間を示す。音声案内情報構成要素管理テーブル３３ａにおいて、「案内時間」が複数設定されている場合（例えば、３０秒及び６０秒と示されている場合）、同一の音声案内を示し所要時間の異なる音声案内情報構成要素が複数存在することを示す。
【００４３】
案内ルート生成部３４は、音声案内対象決定部３１により決定された対象案内情報構成要素の各々に関連付けられている位置情報に基づいて、対象案内情報構成要素同士を繋ぐ案内ルートを生成するように構成されている。
【００４４】
例えば、案内ルート生成部３４は、検索部３２により抽出された対象音声案内情報構成要素を、関連テーマごとに分類し、各関連テーマに応じた案内ルートを作成するように構成されている。
【００４５】
より詳細には、図３に示すように、案内ルート生成部３４は、検索部３２により抽出された対象音声案内情報構成要素７２、３２、１８、４１、９３、６を、地図上に配置し、それぞれの対象音声案内情報構成要素を通過する案内ルート（７２→３２→１８→４１→９３→６）を作成するように構成されている。
【００４６】
かかる地図は、通信端末２０から送信された通信端末２０の位置情報に対応付けて利用されるものであり、例えば、通信端末２０の位置情報の半径５ｋｍ以内の地図を示す。
【００４７】
また、対象音声案内情報構成要素は、地図上の直進ルートに限らず、右折や左折ルートを考慮した内容であってもよい。すなわち、図３の例では、対象音声案内情報構成要素（音声ファイル）４１は、左折に関する誘導や、左折前後の状況説明を含んでいてもよい。
【００４８】
合成部３５は、音声案内対象決定部３１により決定された対象案内情報構成要素を、各対象案内情報構成要素に関連付けられている位置情報に基づいて合成することによって音声案内情報（案内情報）を生成するように構成されている。
【００４９】
具体的には、合成部３５は、案内ルート生成部３４により生成された案内ルートに従って対象案内情報構成要素を配置して合成することによって音声案内情報を生成するように構成されている。
【００５０】
より詳細には、合成部３５は、案内ルート生成部３４により生成された案内ルートに基づいて、要素識別子や関連テーマや案内時間の異なる対象音声案内情報構成要素を的確に配置して合成することにより音声案内情報を生成するように構成されている。
【００５１】
また、合成部３５は、かかる対象案内情報構成要素間に移動時間用案内情報構成要素を挿入するように構成されていてもよい。
【００５２】
ここで、合成部３５は、案内ルート上における対象案内情報構成要素間の距離（対象案内情報構成要素間の移動時間）を考慮して、かかる対象案内情報構成要素間に挿入すべき移動時間用案内情報構成要素の種類を決定するように構成されていてもよい。
【００５３】
ここで、合成部３５は、案内ルート上における対象案内情報構成要素に係る関連テーマ等を考慮して、かかる対象案内情報構成要素間に挿入すべき移動時間用案内情報構成要素の種類を決定するように構成されていてもよい。かかる種類は、より抽象度を上げた情報、すなわち、より広い範囲をカバーする観光案内情報であってもよい。
【００５４】
また、合成部３５は、案内ルート上における対象案内情報構成要素間の距離を考慮して、対象案内情報構成要素或いは移動時間用案内情報構成要素の長さ（案内時間）を変更するように構成されていてもよい。
【００５５】
図４の例では、合成部３５は、検索部３２によって音声案内利用要求で指定されている関連テーマに対応して抽出された対象音声案内情報構成要素（音声ファイル）７２、３２、１８、４１、９３、６を、時系列上に並べる。
【００５６】
その際、合成部３５は、それぞれの対象音声案内情報構成要素間の移動時間を考慮して、それぞれの対象音声案内情報構成要素について適切な案内時間（対象音声案内情報構成要素の長さ）を選択する。
【００５７】
ここで、対象音声案内情報構成要素間の移動時間は、予め決定された静的な情報であってもよいし、通信端末２０から定期的に送信される通信端末２０の位置情報に基づいて計算されたものであってもよい。
【００５８】
すなわち、図４の例では、合成部３５は、案内ルート上における対象案内情報構成要素７２と対象案内情報構成要素４１との間の距離（すなわち、対象案内情報構成要素７２から対象案内情報構成要素４１への移動時間）を考慮して、対象案内情報構成要素７２と対象案内情報構成要素４１との間に、移動時間用案内情報構成要素（対象案内情報構成要素３２及び対象案内情報構成要素１８）を挿入するように構成されている。
【００５９】
なお、合成部３５は、かかる対象案内情報構成要素間に移動時間用案内情報構成要素を挿入しないように構成されていてもよい。
【００６０】
かかる場合、通信端末２０の再生部２３は、音声案内情報の再生中に、再生すべき対象案内情報構成要素が含まれていない期間を検知した後に、かかる期間が経過して再生すべき対象案内情報構成要素が含まれている期間を検知した場合に、通信端末２０を鳴動させたり、アラーム音を発生させたりすることによって、通信端末２０のユーザに対して、次の音声案内の対象に到着したことを通知するように構成されていてもよい。
【００６１】
提供部３６は、合成部３５により生成された音声案内情報（案内情報）を通信端末２０に対して提供するように構成されている。
【００６２】
より詳細には、例えば、提供部３６は、ユーザからの要求に応じて、音声案内情報を生成した場合には、かかる音声案内情報の生成が完了した時点で、通信端末２０に対して送信するように構成されている。
【００６３】
また、提供部３６は、明示的なユーザからの操作や要求がない場合であっても、ユーザ（通信端末２０）が特定エリアに移動した場合に、音声案内情報を提供するように構成されていてもよい。
【００６４】
（本発明の第１の実施形態に係る音声案内システムの動作）
図５を参照して、本発明の第１の実施形態に係る音声案内システムにおいて、通信端末２０が、音声案内情報提供装置３０から音声案内情報を取得し、音声案内サービスを利用する手順について説明する。
【００６５】
図５に示すように、ステップＳ１００Ａにおいて、通信端末２０が、音声案内情報提供装置３０に対して、音声案内利用要求を送信する。
【００６６】
ステップＳ１００Ｂにおいて、通信端末２０からの音声案内利用要求を受信した音声案内情報提供装置３０は、通信端末２０に対して、ユーザ属性要求を送信する。
【００６７】
ステップＳ１０１において、通信端末２０は、ユーザ属性要求を受信すると、当該通信端末２０の属性（ユーザ属性）として、当該通信端末２０の位置情報や当該通信端末２０のユーザの性別や年齢等の個人情報を、音声案内情報提供装置３０に対して送信する。
【００６８】
ここで、当該通信端末２０の位置情報は、ＧＰＳ等により取得されるものとし、当該通信端末２０のユーザの個人情報としては、予め通信端末２０に登録されている情報等を利用するものとする。
【００６９】
ステップＳ１０２において、音声案内情報提供装置３０は、かかるユーザ属性を受信すると、受信した音声案内利用要求によって指定されている関連テーマと、受信したユーザ属性（すなわち、位置情報や性別や年齢）とから、音声案内対象（すなわち、対象音声案内情報構成要素）を決定する。
【００７０】
ステップＳ１０３において、音声案内情報提供装置３０は、格納部３３に各の王されている音声案内情報構成要素管理テーブル３３ａから、決定された対象音声案内情報構成要素を検索して抽出する。
【００７１】
より詳細には、音声案内情報提供装置３０は、図４に示す格納部３３に格納されている音声案内情報構成要素管理テーブルにおいて、「関連テーマ」が、音声案内利用要求によって指定されている関連テーマに一致する音声案内情報構成要素を、対象音声案内情報構成要素として選択する。
【００７２】
ステップＳ１０４において、音声案内情報提供装置３０は、検索され抽出された対象音声案内情報構成要素（音声案内対象）を、関連テーマごとに分類し、それぞれの関連テーマに応じた案内ルートを作成する。
【００７３】
ステップＳ１０５において、音声案内情報提供装置３０は、作成された案内ルートに基づいて、要素識別子や関連テーマや案内時間の異なる対象音声案内構成要素を的確に配置して合成することにより音声案内情報を生成する。
【００７４】
第１回目の抽出処理では、関連テーマに対応して抽出された対象音声案内情報構成要素とは、対象音声案内情報構成要素７２、４１、６であるものとする。
【００７５】
ここで、第１回目の抽出処理で抽出された対象音声案内情報構成要素７２、４１、６によって生成された音声案内情報は、対象音声案内情報構成要素７２、４１、６間の移動時間に該当する時間分には空白ができてしまう。
【００７６】
かかる場合、対象音声案内情報構成要素７２、４１、６間の移動時間との整合が取れていないと看做して、本動作は、ステップ１０３に戻り、関連テーマ及び移動時間に適した対象音声案内情報構成要素を抽出して、ステップ１０５において、音声案内情報提供装置３０は、対象音声案内情報構成要素７２、４１、６間の移動時間の空白を埋めるように音声案内情報を生成する。
【００７７】
ステップＳ１０６において、音声案内情報提供装置３０は、以上の手順で作成された音声案内情報を通信端末２０に提供する。
【００７８】
通信端末２０は、ステップＳ１０７において、音声案内情報提供装置３０から提供された音声案内情報を受信した後、ステップＳ１０８において、かかる音声案内情報を再生する。  
【００７９】
（本発明の第１の実施形態に係る音声案内システムの作用・効果）
本実施形態に係る音声案内システムによれば、ユーザ（通信端末２０）の現在地によらず、ユーザからの要求やユーザ属性に適した対象音声案内情報構成要素を抽出し、対象音声案内情報構成要素間の移動時間を考慮しながら対象音声案内情報構成要素を配置することにより、音声案内情報を作成することができる。
【００８０】
その結果、通信端末２０が、音声案内情報の配信エリアに移動することなく、現在地において、ユーザからの要求やユーザ属性に応じて、目的地である音声案内対象に移動するまでのプロセスを考慮しながら、自動的に音声案内情報を合成することができる。
【００８１】
（変更例１）
上述の第１の実施形態に係る音声案内情報提供装置３０は、通信端末２０の位置情報を観測することによって、当該通信端末２０の特定場所における滞留時間を計測するように構成されていてもよい。
【００８２】
そして、通信端末２０の特定場所における滞留時間が、かかる特定場所に対応する現在の対象音声案内情報構成要素１の再生時間（案内時間）を超えた時点で、音声案内情報提供装置３０は、より長い当該特定場所に対応する対象音声案内情報構成要素２が存在する場合には、提供する音声案内情報において、対象音声案内情報構成要素１を対象音声案内情報構成要素２に変更するように構成されていてもよい。
【００８３】
すなわち、通信端末２０の特定場所における滞留時間が、特定場所に対応する現在の対象音声案内情報構成要素１の再生時間を超えた時点で、より長い当該特定場所に対応する対象音声案内情報構成要素２の再生時間を越えた部分だけを、通信端末２０にて提供するように構成されていてもよい。
【００８４】
例えば、音声案内情報における特定場所に対応する現在の対象音声案内情報構成要素１の再生時間が「３０秒」である場合、通信端末２０の特定場所における滞留時間が「３０秒」を超えた時点で、提供部３６が、再生時間が「６０秒」である対象音声案内情報構成要素２の後半の「３０秒」部分だけを、通信端末２０にて提供するように構成されていてもよい。
【００８５】
（変更例２）
上述の第１の実施形態では、通信端末２０に対して音声案内情報を提供する音声案内情報提供装置３０を例に挙げて説明したが、本発明は、かかる例に限定されることは無く、案内情報として、音声案内情報の代わりに、文字情報や静止画情報や動画情報等の任意の種類の情報が用いられる例に対しても適用可能である。  なお、上述の通信端末２０及び音声案内情報提供装置３０の動作は、ハードウェアによって実施されてもよいし、プロセッサによって実行されるソフトウェアモジュールによって実施されてもよいし、両者の組み合わせによって実施されてもよい。
【００８６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００８７】
【図１】本発明の第１の実施形態に係る音声案内システムの全体構成図である。
【図２】本発明の第１の実施形態に係る音声案内情報提供装置の格納部によって管理されている音声案内情報構成要素テーブルの一例を示す図である。
【図３】本発明の第１の実施形態に係る音声案内情報提供装置の案内ルート生成部によって案内ルートを生成する様子を説明するための図である。
【図４】本発明の第１の実施形態に係る音声案内情報提供装置の合成部によって音声案内を合成する様子を説明するための図である。
【図５】本発明の第１の実施形態に係る音声案内システムの動作を示すシーケンス図である。
【符号の説明】
【００８８】
１０…音声案内システム
２０…通信端末
２１…ユーザ属性送信部
２２…受信部
２３…再生部
３０…音声案内情報提供装置
３１…音声案内対象決定部
３２…検索部
３３…格納部
３３ａ…音声案内情報構成要素管理テーブル
３４…案内ルート生成部
３５…合成部
３６…提供部
【図１】
0004584297.tif 000002
【図２】
0004584297.tif 000003
【図３】
0004584297.tif 000004
【図４】
0004584297.tif 000005
【図５】
0004584297.tif 000006